(57)【要約】      （修正有）【課題】ストレスを溜まったままにせず簡易で手頃な手段により効果的に発散することのできるストレス発散用堪忍袋を提供する。【解決手段】一端が開口２しその他が閉じた袋状をしているとともに袋表面に堪忍袋の表示が施されて前記開口を通じて叫び込んだ念気や念じて投入した生卵などを開口側を紐３で縛ったり捩ったり操作することで封じ込め得るようになっている。【選択図】図２
0003199569.tif 000002
【実用新案登録請求の範囲】
【請求項１】
一端が開口しその他が閉じた袋状をしているとともに袋表面に堪忍袋の表示が施されて前記開口を通じて叫び込んだ念気や念じて投入した生卵などを開口側を紐で縛ったり捩ったり操作することで封じ込め得るようになっているストレス発散用堪忍袋。
【請求項２】
請求項１に記載のものにおいて、開口には本袋の使用説明書や適宜の書類を丸めて抜き差しで交換可能にしてあるストレス発散用堪忍袋。
【考案の詳細な説明】
【技術分野】
【０００１】  本考案は、ストレス発散用堪忍袋に関する。
【背景技術】
【０００２】  腹が立ったときや頭にきたときは、我慢をするのが一般的であるが、理不尽な出来事に出交わしてその我慢の限度を超えるときもあるのが世の常である。そんな時、口論や喧嘩に発展する程に感情が昂りそれが修まらず所謂「堪忍袋の緒が切れる！」状態になることも多々ある。
そうした心の葛藤を抑え込もうとするとストレス発生の要因となって、そのまま放置すると自身の健康が損なわれて病気になることもあり、またストレス発散が他人社会へ悪い形になって表れて事件などトラブルを発生するおそれもあり好ましくない。
【先行技術文献】
【特許文献】
【０００３】
【特許文献１】
【考案の概要】
【考案が解決しようとする課題】
【０００４】  従来、こうしたストレスを溜めたままにせず効果的に発散するようにした手段・用具などは存在しなかった。【０００５】  本考案は、こうした問題を解決しようとするものであり、ストレスを溜まったままにせず簡易で手頃な手段により効果的に発散することのできるストレス発散用堪忍袋を提供することを目的とする。
【課題を解決するための手段】
【０００６】  本考案は上記目的を達成するため、請求項１に記載の考案は、一端が開口しその他が閉じた袋状をしているとともに袋表面に堪忍袋の表示が施されて前記開口を通じて叫び込んだ念気や念じて投入した生卵などを開口側を紐で縛ったり捩ったり操作することで封じ込め得るようになっている。
請求項２に記載の考案は、請求項１に記載のものにおいて、開口には本袋の使用説明書や適宜の書類を丸めて抜き差しで交換可能にしてある。
【考案の効果】
【０００７】  上述したように請求項１に記載の考案は、一端が開口しその他が閉じた袋状をしているとともに袋表面に堪忍袋の表示が施されて前記開口を通じて叫び込んだ念気や念じて投入した生卵などを開口側を紐で縛ったり捩ったり操作することで封じ込め得るようになっているので、ストレスを溜まったままにせず簡易で手頃な手段により効果的に発散することのできるストレス発散用堪忍袋を提供することができる。
【図面の簡単な説明】
【０００８】
【図１】  本考案の一実施形態を示すビニール袋タイプの堪忍袋の正面図。
【図２】  図１の堪忍袋の使用要領説明図。
【図３】  他の実施形態を示す使用要領説明図。
【図４】  他の実施形態を示す正面図。
【図５】  他の実施形態を使用要領とともに示す正面図。
【図６】  紙袋タイプの堪忍袋の実施形態を示す正面図。
【図７】  他の実施形態を示す堪忍袋の正面図。
【考案を実施するための形態】
【０００９】  以下、本考案であるストレス発散用堪忍袋の一実施形態を図１および図２に基づいて説明する。
これらの図において、１は堪忍袋本体で、ビニール製の四角な袋でその一端が大小に形を変えることのできる開口２とされ残る３辺が閉じられた四角でビニール製の袋体でなっている。
【００１０】  この本体１は、内外二重のビニール袋からなるものにすればあとで述べるように叫び声を放った際に外に洩れにくくなる。
３は閉じ紐で、堪忍袋本体１の開口側を縛ることができるようになっている。
この閉じる手段としては、紐縛り手段の他に、簡易ベルト縛り方式でもよく、さらに、図１のような雄雌弾嵌脱式のファスナー４にしたり、あるいは面ファスナーやマグネットファスナー、ホック止め式などにしてもよい。
【００１１】  堪忍袋本体１の一面には、「堪忍袋」と「ぶっちゃけ」の何の商品であるかを示す文字が描かれている。「堪忍袋」の周りには、開口２を使う人の方に向けて両手でその開口２を開いて口５の周りにあてがうようにした場合にその人の視界の前方下に叫ぶべき参考のことば、例えば、「アホンダラー」、「フザケンナッ」、「モォォハラタツ」、「クソッハラタツ」、「コノタワケ」などが分かりやすく大きな文字で表示されており、これらの文字はその人からみて正方向で袋としては逆様文字として記されている。
【００１２】  前記のように、この堪忍袋は、図２のように開口２をその人の方へ向けて両手で開くようにしたあとそこに洩れないように口５をあてがい、ストレスの原因を発散するために思っていること、ここでは「アホンダラー！」と叫ぶようにする。叫ぶことばは、前記その他のことばを追加したり繰り返したりしてもよい。このように開口２内に口５をあてがって叫ぶので洩れて近くの人に迷惑させたりするおそれはない。そのあと、紐３を縛ることにより叫び入れた念気を袋内に閉じ込めるようにする。
尚、堪忍袋本体１は、図２に示すように、首部６と開口２を袋本体幅よりもやや細目状にして片手だけででも持つことができしかも洩れなく口にあてがいやすくなるように形成してもよい。
【００１３】  図３は他の実施形態を示す。図１および図２に示す実施形態では、口を開口２内に直接あてがうようにしてあったので、同じ堪忍袋を他の人にも使ってもらうのが衛生上等の問題が出てくる可能性もあったが、図３の実施形態では、この堪忍袋に付属される「使用説明書」を図示のように口にあてがわれる程度の大きさに丸めて口当て筒８としそれを堪忍袋本体９の開口１０に差し入れてそれを介して叫び込むように工夫したものである。従って、開口１０自体には口が触れないので、使い捨てをすることなく他の人にも何度でもこの堪忍袋を使ってもらうことができて衛生的かつ経済的である。
【００１４】  「使用説明書」は身近なＡ４などの紙類やビニール薄膜板などを使用するようにしてもよい。そうすれば身近な紙類は使い捨てで使用できる一方において「使用説明書」はいつまでも保管できる。１１は紐とロックバックルでなる締め紐である。
尚、開口１０は、丸めた口当て筒８が少しの余裕をもって差し入れられる程度の小さ目の開口とすれば、口当て筒８がフィットし安定して力強く叫ぶことができるようになる。この場合、開口１０の口縁部１２は弱いゴム帯輪状のものにしておいて口当て筒８を保持できるようなものにしておけばより安定して叫び得ることになる。
【００１５】  図４は他の実施形態を示す。堪忍袋本体１５を縦長の台形状としその上部に細首部１６と開口１７を形成して止めホック１８で縛り得るようにしたものである。この本体１５にも図３のような口当て筒を入れるようにしてもよい。
【００１６】  図５は他の実施形態を示す。この実施形態は、堪忍袋本体２０が細首状で開口２１と紐２２を備えたものとなっている。他の実施形態に示すような本体としてもよい。この本体２０には、右欄に示すように筆記具（フェルトペン）２３によりストレス解消のために念じた事が書かれた生卵２４をチリ紙やビニール袋などの包装手段２５で包み込んだあと輪ゴムのような縛り手段２６で首を縛っておいたものを開口２１を通じて入れて紐２２で締め付けておき、そのものを念を入れて壁や床などに向けて力強く投げ付けて卵を壊すようにすることでストレスの解消を図るようにしたものである。
【００１７】  生卵２４は投げ付けて壊されるが包装手段２５に包まれた上に堪忍袋本体２０に入れられていて内容物はある程度原型を保ったもとにあるのであとで包装手段２５とともに取り出せば卵焼きなど料理にそのまま使うこともできる。包装手段２５はそれ自体がファスナーをもつ樹脂製袋にすれば壊れた卵が堪忍袋本体２０に付着するようなことがなく該堪忍袋を再使用することが可能になって経済的である。
堪忍袋本体２０は、富士山型のスマートな形になっているが、他の実施形態のものを利用することができる。
【００１８】  図６は他の実施形態を示す。この堪忍袋本体３０は紙袋でその表裏には「堪忍袋」の表示が印刷された専用袋になっている。この堪忍袋本体３０は、その開口３１を通じてストレス発散のためのことばを叫んで右欄のように口を捩って塞ぐようにすることで念気を封じ込めることができ、さらに、叩き破ることで一気にストレスの解消をつなげるようにしようとするものである。堪忍袋本体３０を紙袋にしたことで使い捨てにしても経済的であり、さらに叩き破るという特殊なストレス発散効果を得ることができる利点がある。
【００１９】  図７は他の実施形態を示す。この実施形態の堪忍袋本体３５は、全体が＋字形でその表面にプッツン切れマークの拡大型を印刷したもので、その一端が開口３６とされそれ以外の端部および周縁部は閉止した袋状になっている。材質は紙や軟質樹脂でなり、開口３６にはワンタッチパッキン３７が施されている。全体がプッツン切れマークの形になっているので、気持ちを入れやすい。
【符号の説明】
【００２０】  １，９，１５，２０，３０，３５…堪忍袋本体  ２，１０，１７，２１，３１，３６…開口。
【図１】
0003199569.tif 000003
【図２】
0003199569.tif 000004
【図３】
0003199569.tif 000005
【図４】
0003199569.tif 000006
【図５】
0003199569.tif 000007
【図６】
0003199569.tif 000008
【図７】
0003199569.tif 000009
【手続補正書】
【提出日】平成27年6月11日(2015.6.11)
【手続補正１】
【補正対象書類名】実用新案登録請求の範囲
【補正対象項目名】全文
【補正方法】変更
【補正の内容】
【実用新案登録請求の範囲】
【請求項１】
一端が開口しその他が閉じた袋状をなしその袋表面に堪忍袋の表示が施されているとともに前記開口を通じて叫び込んだ念気や念じて投入した生卵などを袋内に封じ込める形にするため開口を縛ったり捩ったりして封じる操作を受け得る口閉じ用操作受け手段が設けられているストレス発散用堪忍袋。
【請求項２】
開口は、本袋の使用説明書や適宜の書類を丸めて抜き差し可能な口元形状にしてあることを特徴とする請求項１に記載のストレス発散用堪忍袋。